(57)【要約】【課題】耳に集音して周囲の音特に人の話し声が聞こえやすくなるのは勿論のこと、集音タイプの補聴器を付けていることが周囲の者に容易に察知されにくく、しかも、耳の周囲への取り付けも単に帽子を被る動作の中で簡単に行うと共に、その集音効果を更に高めることのできる集音具付き帽子を提供することにある。【解決手段】耳ａに向かってくる音を集め且つ音が耳元を通過して後方に漏れるのを防ぐ集音カバー２を、帽子４の左右側面側から後部側にわたって取り付け、集音カバー２の内側面の両側の帽子装着時に耳ａの後方となる箇所に耳後部集音反射片３を、また耳ａの下方となる箇所に耳下部集音反射片５をそれぞれ設けた。【選択図】        図５
0003165450.tif 000002
【実用新案登録請求の範囲】
【請求項１】
耳に向かってくる音を集め且つ音が耳元を通過して後方に漏れるのを防ぐ集音カバーを、帽子の左右側面側から後部側にわたって取り付けると共に、集音カバーの左右のカバー前端を帽子装着時に耳よりも前方側に位置するようにそれぞれ設け、集音カバーの内側面の両側の帽子装着時に耳の後方側となる箇所に耳後部集音反射片をそれぞれ設け、集音カバーの内側面の両側の帽子装着時に耳の下方側となる箇所に集音カバーと耳後部集音反射片に一部がそれぞれ連結された耳下部集音反射片をそれぞれ設けたことを特徴とする集音具付き帽子。
【考案の詳細な説明】
【技術分野】
【０００１】
この考案は、帽子に集音カバーを取り付け、集音カバーの内側面に両側に耳後部音反射片を設けて、集音機能を高めると共に集音機能を有すると周囲の者にも察知されにくい集音具付き帽子に関するものである。
【背景技術】
【０００２】
年齢が高くなるにしたがって一般に耳が聞こえにくくなることが知られている。そして耳が聞こえにくい人々のために、電気を使用した補聴器が市販されて実用に供されている。最近の電気式の補聴器は小型化が著しく、イヤホンを耳の穴に装着しても外部からは余り目立たない。
電気式の補聴器は電気によって外界からの音を増幅して大きな音にするが、増幅に伴い周囲の雑音も同時に拾って大きな音にするため、補聴器を付けている者にとっては本人が必要とする音のみを明瞭に聞き取ることができず、雑音がないような場所で使用する場合を除いて、電気式の補聴器を使用しても快適に音を聞き取ることは困難で不快感が生じるのが現状である。
しかも、電気式の補聴器は一般に高価であるが、性能の優れた補聴器では数十万円もする。数十万円もする非常に高価な補聴器は、これを使用する者の耳の状態に合わせて設定されるが、それでも前述したような雑音も同時に拾うために、快適に音を聞き取ることは困難である。
また、電気式の補聴器では耳穴に装着するイヤホンの電源となる小型の電池を必要とし、電池が消耗するたびに電池の交換が必要であり、叉交換する電池が非常に小さいので、年齢が高くなった者にとっては、電池の交換作業が面倒でもある。
【０００３】
そこで、この電気式の補聴器に代えて、外界からの音を耳に集める集音タイプのものとして、例えば特許文献１〜特許文献５に示されるようなものが考案されている。集音タイプは電気式の補聴器と異なり、外界の音を増幅するものではないので、増幅された雑音による不快感を抱くことはない。この集音タイプは、耳の周囲に集音板や集音カップなどを付ける構造になっている。
【０００４】
ところで、出願人は、このような実情に鑑み、平成２２年８月２６日付けで、実願２０１０−００５７０８の「集音具付き帽子」を出願している。
【先行技術文献】
【特許文献】
【０００５】
【特許文献１】特開２００５−２７５３２９
【特許文献２】特開２００６−１５７７５４
【特許文献３】実開昭５７−１６２７００
【特許文献４】実開昭６２−１９９８００
【特許文献５】実開平２−１７９９
【特許文献６】実願２０１０−００５７０８
【考案の概要】
【考案が解決しようとする課題】
【０００６】
しかしながら、前述したように特許文献１〜特許文献５にあっては、集音タイプは耳の周囲に集音板や集音カップなどを付ける構造になっているので、集音タイプの補聴器を付けていることが周囲の者に容易に察知されやすい難点がある。また、一部の集音タイプの補聴器にあっては耳の周囲への取り付けが、特に高齢者にとっては面倒であった。
【０００７】
これに対し、出願人の考案した上記の実願２０１０−００５７０８「集音具付き帽子」はこれらの欠点を解消する利点を有するが、音の一部が耳元から耳の下側に少し漏れるきらいがあり、集音十分とは言い難い面があった。
【０００８】
この考案は、上記のような課題に鑑み、その課題を解決すべく創案されたものであって、その目的とするところは、耳に集音して周囲の音特に人の話し声が聞こえやすくなるのは勿論のこと、集音タイプの補聴器を付けていることが周囲の者に容易に察知されにくく、しかも、耳の周囲への取り付けも単に帽子を被る動作の中で簡単に行うことのできると共に、その集音効果を更に高めることのできる集音具付き帽子を提供することにある。
【課題を解決するための手段】
【０００９】
以上の課題を達成するために、この考案は、耳に向かってくる音を集め且つ音が耳元を通過して後方に漏れるのを防ぐ集音カバーを、帽子の左右側面側から後部側にわたって取り付けると共に、集音カバーの左右のカバー前端を帽子装着時に耳よりも前方側に位置するようにそれぞれ設け、集音カバーの内側面の両側の帽子装着時に耳の後方側となる箇所に耳後部集音反射片をそれぞれ設け、集音カバーの内側面の両側の帽子装着時に耳の下方側となる箇所に集音カバーと耳後部集音反射片に一部がそれぞれ連結された耳下部集音反射片をそれぞれ設けた手段よりなるものである。
【考案の効果】
【００１０】
課題を解決するための手段よりなるこの考案に係る集音具付き帽子によれば、帽子装着時に両耳の少し前方側から後頭部側を覆う集音カバーによって、音が耳元を通過して後方に漏れたりするのを防ぐことができると共に、集音カバーの内側面の両耳の後部側に位置する耳後部集音反射片によって耳元を通過して後方に漏れ音を耳の裏側で反射させることによって、耳に集音させることができ、周囲の音を聞き取れやすくすることができる。これ加えてさらに、両耳の下部側に位置する耳下部集音反射片によって耳元付近で下方に漏れ音を防ぐことができると共に耳の下側で反射させることができるので、耳への集音効果を更に高めることができる。そして、電気式補聴器と異なり雑音を増幅させることもないので不快感もなく、また、電池の交換などの煩わしさもなく、人の話し声が聞こえやすくなる。
しかも、帽子の後部側に取り付けられている集音カバーは、一見すると日除けカバーにも似ているので、集音タイプの補聴器を付けていることが周囲の者に容易に察知されることもない。
加えて、両耳への装着は単に帽子を被るのみで簡単容易に達成され、さらに耳後部集音反射片の調整は帽子を被った状態で、両手で耳後部集音反射片を掴んで耳の後部側での動作で簡単に行うことができる等、極めて実用的有益なる効果を奏するものである。
【図面の簡単な説明】
【００１１】
【図１】この考案を実施するための形態を示す集音具付き帽子の正面図である。
【図２】この考案を実施するための形態を示す集音具付き帽子の側面図である。
【図３】この考案を実施するための形態を示す集音具付き帽子の底面図である。
【図４】この考案を実施するための形態を示す集音具付き帽子の正断面図である。
【図５】この考案を実施するための形態を示す集音具付き帽子の側断面図である。
【考案を実施するための形態】
【００１２】
以下、図面に記載の考案を実施するための形態に基づいて、この考案をより具体的に説明する。
図において、集音具付き帽子１は、耳ａに集音して周囲の音特に人の話し声が聞こえやすくなるのは勿論のこと、集音タイプの補聴器を付けていることが周囲の者に容易に察知されにくく、しかも、耳ａの周囲への取り付けも単に帽子４を被る動作の中で簡単に行うことができる特徴を備えている。
【００１３】
集音具付き帽子１は、耳ａに向かってくる音を集め且つ音が耳元を通過して後方に漏れるのを防ぐ集音カバー２と、集音カバー２の内側面の両側にそれぞれ設けられた耳後部集音反射片３及び耳下部集音反射片５とから構成される。
【００１４】
集音カバー２は、帽子４の左右側面側から後部側にわたって取り付けられている。集音カバー２は、帽子４を被った時に左右の側頭部及び後頭部を覆う位置にあり、そしてその左右のカバー前端２１が帽子４の装着時に耳ａよりも前方側に位置するように取り付けられている。集音カバー２はその上端が帽子４の鍔４１の根本側と帽子４の内周縁４２が交わる部分に逢着されて、帽子４に一体化されている。
【００１５】
集音カバー２の表面には帽子４と同じような柄の生地で被覆されており、帽子４と違和感がないようなデザインとなっている。集音カバー２の内部には少し硬めの例えばプラスチック材が取り付けられていて、このプラスチック材で集音カバー２が帽子４の左右側面側から後部側にわたって略半円弧状の形状を維持できるようになっている。
【００１６】
耳後部集音反射片３は、耳元を通過して後方に漏れる音を耳ａの裏側で反射させる機能を果たすものである。耳後部集音反射片３は、集音カバー２の内側面の両側の帽子４の装着時に耳ａの後方側となる箇所にそれぞれ設けられている。
【００１７】
耳後部集音反射片３はその根本側が集音カバー２の内側面に例えば逢着されて一体化されている。また、耳後部集音反射片３はその逢着された根本側を中心として前後に可動する構造になっていて、帽子４を被った者の耳ａの位置に合わせて、その向きを簡単に調整可能できるようになっている。
【００１８】
耳下部集音反射片５は、耳元付近で下方に漏れる音を耳ａの下側で反射させる機能を果たすものである。耳下部集音反射片５は、集音カバー２の内側面の両側の帽子４の装着時に耳ａの下方側となる箇所にそれぞれ設けられている。耳下部集音反射片５は、集音カバーと耳後部集音反射片とに一部がそれぞれ連結された状態で設けられている。
【００１９】
耳下部集音反射片５は平面からみて略二辺側が直線状に残りの一辺側が僅かに弧状になった略三角形状に形成されている。左右の耳下部集音反射片５は平面からみて前方側に向けて鋭角状になっている。そのうち僅かに弧状になった一辺側が集音カバー２の内側面の例えばその下端辺に沿って例えば逢着されて連結され、もう一辺側が耳後部集音反射片３の例えば下端辺に沿って例えば逢着されて連結されている。
【００２０】
各耳下部集音反射片５の僅かに弧状になった一辺側の先端側は、左右のカバー前端２１の丸みを帯びた下端側に位置し、僅かに弧状になった一辺側の後端側は耳後部集音反射片３の下端辺と集音カバー２とが接する箇所に位置し、僅かに弧状になった一辺側は上記したように集音カバー２の内側面の下端辺に沿って逢着されて連結されている。
【００２１】
また、上記したように各耳下部集音反射片５のもう一辺側が耳後部集音反射片３の下端辺に沿って逢着されて連結されていて、耳下部集音反射片５は集音カバー２の内側面の下端辺と耳後部集音反射片３の下端辺とに一体化されている。
【００２２】
このように、各耳下部集音反射片５は集音カバー２の内側面の例えば下端辺と耳後部集音反射片３の例えば下端辺に連結されていて、耳元付近で下方に漏れる音を耳ａの下側で反射させることができ、集音効果を高めている。
【００２３】
次に、上記考案を実施するための形態の構成に基づく集音具付き帽子の使用方法について以下説明する。
本願の集音具付き帽子１は、単に頭に帽子４を被せるのみで、簡単に集音具として機能する。つまり、集音具付き帽子１を頭に装着すると、集音カバー２は両耳ａ，ａの外側を覆う位置にある。また、そのとき、集音カバー２の左右のカバー前端２１は両耳ａ，ａよりも少し前方に出ている。
【００２４】
しかも、集音カバー２の左右のカバー前端２１は両耳ａより左右の外側方に向けて広がっているので、その広がった分だけ、外部の音を余計に集めることができる。このため、両耳ａで直に外部の音を聞く場合に比べての音量が多くなるので、耳ａが一般に聞こえにくい者でも、外部の音が聞き取れやすくなる。
【００２５】
しかも、集音カバー２は一見すると側頭部から後頭部側を覆う日除けカバー或いは防寒具に似ているので、本願の集音具付き帽子１を被っていても、集音具を付けていると周囲の者に簡単に察知されることもない。このため、集音具付き帽子１を安心して被ることができる。そして、外部の音も聞き取れやすくなるのである。
【００２６】
なお、この考案は上記考案を実施するための形態に限定されるものではなく、この考案の精神を逸脱しない範囲で種々の改変をなし得ることは勿論である。
【符号の説明】
【００２７】
１    集音具付き帽子
２    集音カバー
２１    カバー前端
３    耳後部集音反射片
４    帽子
４１    鍔
４２    内周縁
５    耳下部集音反射片
ａ    耳
【図１】
0003165450.tif 000003
【図２】
0003165450.tif 000004
【図３】
0003165450.tif 000005
【図４】
0003165450.tif 000006
【図５】
0003165450.tif 000007